(57)【要約】【課題】より防犯性に優れている扉用施錠装置を提案すること。【解決手段】デットボルトの後端部に形成された係合部がダルマの駆動腕と係合すると共に該ダルマの駆動力に基づき先端部が垂直方向の固定部材の受穴に係入するように錠箱の面座から進退動するカマデッドとを組み込んだ扉用施錠装置に於いて、カマデッドを所定の空間を有して上下に１対平行に並設すると共に、これら上下のカマデッドをそれぞれ構成するカマの各基端部を共有の一軸で軸支し、上下のカマデッドは、錠箱内に設けた連動手段を介して同時に進退動し、施錠時、デッドボルトの先端部は固定部材の受穴に係入すると共に、カマの鉤状先端部は受穴の周囲における固定部材の掛合部分の裏面に掛止し得る扉用施錠装置。【選択図】図１
2010159575.tif 000002
【特許請求の範囲】
【請求項１】
錠箱内に、ダルマと、デットボルトと該デットボルトに連動するカマとから成り、前記デットボルトの後端部に形成された係合部が前記ダルマの駆動腕と係合すると共に該ダルマの駆動力に基づき先端部が垂直方向の固定部材の受穴に係入するように前記錠箱の面座から進退動するカマデッドとを組み込んだ扉用施錠装置に於いて、前記カマデッドを所定の空間を有して上下に１対平行に並設すると共に、これら上下のカマデッドをそれぞれ構成するカマの各基端部を共有の一軸で軸支し、上下のカマデッドは、前記錠箱内に設けた連動手段を介して同時に進退動し、施錠時、前記デッドボルトの先端部は前記固定部材の受穴に係入すると共に、前記カマの鉤状先端部は前記受穴の周囲における固定部材の掛合部分の裏面に掛止し得ることを特徴とする扉用施錠装置。
【請求項２】
請求項１に於いて、連動手段は、ダルマと略同一形状の大きさに形成された一つの回転体であり、該回転体は、その同期歯がダルマの環状嵌合部の駆動歯と噛合するようにダルマの上下方向に配設され、かつ半径外方向に延びる同期腕が他方のカマデッドのデットボルトの後端部に形成された係合部に係合することを特徴とする扉用施錠装置。
【請求項３】
請求項１に於いて、連動手段は、前記上下のカマデッドの各デッドボルトの内側の対向側端部にそれぞれ設けられたラックとそれぞれ噛合するように錠箱内に配設された上下一対のカマデッド同期用小歯車であることを特徴とする扉用施錠装置。
【請求項４】
請求項１に於いて、連動手段１５Ｂは、中央部が上下一対の固定軸３８にそれぞれ軸支され、かつ互いに連結された内端部が弧状軌跡を描きながら前後方向へと移行する第１連結可動ピン３９で連結されていると共に、各外端部が上下方向に同時に移動する上下一対の第２連結可動ピン４０でそれぞれ連結されたカマデッド同期用の二本のリンクであることを特徴とする扉用施錠装置。
【請求項５】
請求項１に於いて、連動手段１５Ｃは、前記ダルマ１２Ｃの第１駆動腕の反対側に延びる第２駆動腕２７Ａに枢着されていると共に該ダルマ１２Ｃと共働する制御金具４１と、この制御金具４１のガイドに案内されると共に他方のカマデッド１３Ｃのデッドボルト１６Ｃの後端部に連結状態に配設された第２リンク３７Ａとから成ることを特徴とする扉用施錠装置。
【請求項６】
請求項１に於いて、固定部材は、戸枠の縦枠に固定されたトロヨケとストライクから成る受け具であり、前記ストライクは、中央部の掛合部分を基準として上下に一対の受穴を有すると共に、該受け具の中には、ストライク変形防止部材が該受け具と一体的に設けられていることを特徴とする扉用施錠装置。
【請求項７】
錠箱内に、ダルマと、デッドボルトと該デッドボルトに連動するカマとから成り、前記デッドボルトの後端部に形成された係合部が前記ダルマの駆動腕と係合すると共に該ダルマの駆動力に基づき先端部が垂直方向の固定部材の受穴に係入するように前記錠箱の面座から進退動するカマデッドを組み込んだ扉用施錠装置に於いて、前記カマデッドは、前記錠箱に平行に併設された上下のカマデッドの各デッドボルトの対向側端部の中央部或いは中央部寄りの部位が固定接続部を介して一体の１つの摺動部材であり、また、これら上下のカマデッドをそれぞれ構成するカマの各基端部は共有の一軸で軸支され、施錠時、ダルマが回転すると、前記１つの摺動部材は水平移動して、前記デッドボルトの先端部は前記固定部材の受穴に係入すると共に、前記カマの先端部は前記受穴の周囲における固定部材の掛合部分の裏面に掛止し得ることを特徴とする扉用施錠装置。
【請求項８】
請求項７に於いて、１つの摺動部材の固定接続部を含む縦断面は、リップミゾ形綱の形状であることを特徴とする扉用施錠装置。
【請求項９】
請求項７に於いて、１つの摺動部材の固定接続部は、少なくとも上又は下のいずれか一方のデッドボルトの対向側端部の中央部或いは中央部寄りの部位から垂直方向に連設成形された板状部分であり、該板状部分の端部が固定手段を介して他方のデッドボルトの対向側端部の中央部或いは中央部寄りの部位に固定されていることを特徴とする扉用施錠装置。
【請求項１０】
請求項７に於いて、１つの摺動部材の固定接続部は、少なくとも１枚の垂直接続板であり、上下のデッドボルトは、該垂直接続板及び固定手段を介して互いに一体的に連結されていることを特徴とする扉用施錠装置。
【発明の詳細な説明】
【技術分野】
【０００１】
本発明は、引戸、開き扉等の開閉体に取り付けられる扉用施錠装置に関する。
【背景技術】
【０００２】
特許文献１には、「親扉の自由端部に設けられた錠箱内に、横方向に進退動する横デッドボルトと、該横デッドボルトに対して直交すると共に上下方向に進退動する縦デッドボルトとを組み込む事項」が開示されている。
【０００３】
この特許文献１の前記横デッドボルトは、例えば錠箱の垂直面座（フロント）から突出して親扉の自由端部と対向する子扉の受具の受穴に係入し、一方、前記縦デッドボルトは、前記錠箱の水平面座（底壁）から突出して戸枠の下枠の受具の受穴に係入する。この特許文献１の実施例は、「扉用のダブルデッド錠」と称すべきものであるが、固定部材（戸枠、受け具）に対して扉を縦方向と横方向に同時に施錠する場合には適合するが、垂直方向の固定部材の受穴（例えば縦枠や縦枠に設けた受け具の受穴）に同時に複数個（例えば２個）の横デッドボルトが同時に係入するものではないから、ダブルデッド錠の取付け箇所が限定されるという問題点がある。
【０００４】
また、子扉側の防犯性という観点から考察した場合、施錠片は垂直面座（フロント）から子扉側の受穴へと進入する一つのデッドボルトのみであるから、子扉側の防犯性を向上させることができないという問題点もある。
【０００５】
また、特許文献２には、「錠箱内にデットボルトと該デットボルトに連動するカマとから成る一つのカマデッドとを組み込んだ扉用施錠装置」が開示されている。付言すると、特許文献２には、例えば合鍵の操作力によって回転するシリンダ錠又はサムターンと、該シリンダ錠又はサムターンの作動により施錠・解錠方向へ作動する駆動部材と、該駆動部材の駆動力に基づき先端部が垂直方向の固定部材の受穴に係入するように錠箱の面座から進退動する一つのカマデッドとから構成され、前記一つのカマデッドは、デットボルトと、支持軸及びガイドピンを含む案内手段を介してデットボルトに連動（従動）するカマとから成る事項が開示されている。
【０００６】
この特許文献２は、特許文献１の「扉用のダブルデッド錠」に対して「カマデッド錠」と称すべきものであり、普通一般の「デットボルトのみ」又は「カマのみ」を備えた錠前に対して防犯性に優れている。
【０００７】
そこで、現在、特許文献２の記載のカマデッド錠等を前提にして、より防犯性に優れている扉用施錠装置の出現が要望されている。
【先行技術文献】
【特許文献】
【０００８】
【特許文献１】特開２００６−９７３６１号公報
【特許文献２】特開２００７−７０９２６号公報
【発明の概要】
【発明が解決しようとする課題】
【０００９】
本発明の所期の目的は、特許文献２等の記載のカマデッド錠を前提にして、例えば開閉体を上下方向に移動させても、容易に複数個のカマデッドが固定部材の掛合部分から離れないようにし、もって、より防犯性に優れている扉用施錠装置を提案することである。本発明の第２の目的は、部品点数を少なくし、上下のカマデッドを容易に錠箱内に組み込むことができることである。本発明の第３の目的は、施錠状態に於いて、開閉体を開く方向へ力が作用して、固定部材のストライクに対して集中的な力が加わることになっても、ストライクが容易に変形しないことである。
【課題を解決するための手段】
【００１０】
本発明の扉用施錠装置は、錠箱内に、ダルマと、デットボルトと該デットボルトに連動するカマとから成り、前記デットボルトの後端部に形成された係合部が前記ダルマの駆動腕と係合すると共に該ダルマの駆動力に基づき先端部が垂直方向の固定部材の受穴に係入するように前記錠箱の面座から進退動するカマデッドとを組み込んだ扉用施錠装置に於いて、前記カマデッドを所定の空間を有して上下に１対平行に並設すると共に、これら上下のカマデッドをそれぞれ構成するカマの各基端部を共有の一軸で軸支し、上下のカマデッドは、前記錠箱内に設けた連動手段を介して同時に進退動し、施錠時、前記デッドボルトの先端部は前記固定部材の受穴に係入すると共に、前記カマの鉤状先端部は前記受穴の周囲における固定部材の掛合部分の裏面に掛止し得ることを特徴とする。
【００１１】
また、本発明の扉用施錠装置は、錠箱内に、ダルマと、デッドボルトと該デッドボルトに連動するカマとから成り、前記デッドボルトの後端部に形成された係合部が前記ダルマの駆動腕と係合すると共に該ダルマの駆動力に基づき先端部が垂直方向の固定部材の受穴に係入するように前記錠箱の面座から進退動するカマデッドを組み込んだ扉用施錠装置に於いて、前記カマデッドは、前記錠箱に平行に併設された上下のカマデッドの各デッドボルトの対向側端部の中央部或いは中央部寄りの部位が固定接続部を介して一体の１つの摺動部材であり、また、これら上下のカマデッドをそれぞれ構成するカマの各基端部は共有の一軸で軸支され、施錠時、ダルマが回転すると、前記１つの摺動部材は水平移動して、前記デッドボルトの先端部は前記固定部材の受穴に係入すると共に、前記カマの先端部は前記受穴の周囲における固定部材の掛合部分の裏面に掛止し得ることを特徴とする。
【発明の効果】
【００１２】
（ａ）錠箱内に、カマデッドを所定の空間を有して上下対称に１対平行に並設し、これら上下のカマデッドが前記錠箱内に設けた同期手段を介して同時に進退し、施錠時、カマデッドを構成する上下のデッドボルトの各先端部は、固定部材の受穴に係入すると共に、上下のカマの鉤状先端部は前記受穴の周囲における固定部材の掛合部分の裏面に同時に掛止し得るので、より防犯性に優れている扉用施錠装置を得ることができる。
（ｂ）また、上下のカマデッドをそれぞれ構成するカマの各基端部は共有の一軸で軸支されているので、該一軸を基準にして上下のカマデッドを容易に錠箱内に組み込むことができる。
（ｃ）受け具内にストライク変形防止部材が一体的に設けられている実施例の場合には、扉用施錠装置にダブルのカマデッドの構成を採用しても、ストライクは容易に変形しない。
（ｄ）連動手段の構成如何によっては、一つの部材で達成することができる。付言すると、連動手段の構成部品を少なくすることができる。
【図面の簡単な説明】
【００１３】
図１乃至図９は本発明の最良の実施例（第１実施例）を示す各説明図。図１０乃至図１２は本発明の第２実施例を示す各説明図。図１３乃至図１６は本発明の第３実施例を示す各説明図。図１７乃至図２１は本発明の第４実施例を示す各説明図。図２２乃至図２６は本発明の第５実施例を示す各説明図。図２７乃至図３１は本発明の第６実施例を示す各説明図。図３２乃至図３３は本発明の第７実施例を示す各説明図。図３４及び図３４は本発明の第８実施例を示す各説明図（受け具の第２実施例）。
【図１】閉戸時における施錠状態を示す概略説明図。
【図２】錠箱の外観構成を示す斜視図。
【図３】錠箱の内部構成を示す概略説明図（細部的事項は省略）。
【図４】上下のカマを分離した説明図。
【図５】上下のカマを連結した説明図。
【図６】図６（ａ）及び図６（ｂ）は、錠箱を面座側から見た説明図で、前記（ａ）はカマデッドの解錠状態、前記（ｂ）はカマデッドの施錠状態の先端面をそれぞれ示す概略説明図。
【図７】受け具の斜視図。
【図８】受け具の正面図。
【図９】図８の８−８線拡大断面図。
【図１０】第２実施例の図１と同様の説明図。
【図１１】第２実施例の図３と同様の説明図。
【図１２】要部の概略縦断面説明図。
【図１３】第３実施例の図１と同様の説明図。
【図１４】第３実施例の図３と同様の説明図。
【図１５】要部の説明図（途中の状態）。
【図１６】要部の概略縦断面説明図。
【図１７】第４実施例の図１と同様の説明図。
【図１８】第４実施例の図３と同様の説明図。
【図１９】要部の説明図（分解斜視図）。
【図２０】要部の説明図（途中の状態）。
【図２１】要部の説明図（第２駆動腕の動きの状態）。
【図２２】第５実施例の図１と同様の説明図。
【図２３】第５施例の図３と同様の説明図。
【図２４】要部の説明図（斜視図）。
【図２５】要部の説明図（正面図）。
【図２６】図２５の２６−２６線断面図。
【図２７】第６実施例の図１と同様の説明図。
【図２８】第６実施例の図３と同様の説明図。
【図２９】要部の説明図（分解斜視図）。
【図３０】要部の説明図（正面図）。
【図３１】図３０の３１−３１線断面図。
【図３２】第７実施例の要部の正面図。
【図３３】要部の説明図（分解斜視図）。
【図３４】第８実施例の概略断面説明図（受け具の第２実施例）。
【図３５】受け具の分解斜視図。
【発明を実施するための最良の形態】
【００１４】
以下、図１乃至図９に示す本発明を実施するための最良の形態（第１実施例）により説明する。
【００１５】
（１）錠箱１と垂直方向の固定部材７
図１は発明の実施の環境を示す各概略説明図である。図１は、閉扉時における固定部材７の受穴１０にカマデッド１３の先端部（デッドボルトとカマの各先端部）が係入した施錠時の概略説明図、図２は錠箱１の斜視図、図３は解錠時における錠箱１の内部構成を示す概略説明図である。
【００１６】
さて、図１乃至図３に於いて、１は錠箱で、この錠箱１は、例えば開閉体２の具体例としての引戸又は開き扉に内設される。もちろん、錠箱１を開閉体２の内壁面に面付け状態に取付けても良い。この錠箱１はケース身１ａ、ケース蓋１ｂ及び垂直面座（フロント）１ｃを有し、前記垂直面座１ｃには、後述する上方のカマデッド１３用上部開口３、下方のカマデッド１３用下部開口４がそれぞれ適宜に形成されている。また、垂直面座１ｃの上下端部には不番の固着具用孔が形成されている。さらに、図２で示すように、錠箱１の垂直面座１ｃ寄りの中央部には、軸孔５が一つ形成されている。その他錠箱１には、不番の円形嵌合孔等が適宜に形成されている。
【００１７】
一方、７は、錠箱１の垂直面座１ｃと対面する垂直方向の固定部材（柱、戸枠の縦枠、受け具）である。本実施例では、固定部材７は、戸枠の縦枠に固定されたトロヨケ８とストライク９から成る受け具であり、前記ストライク９は、中央部の掛合部分９ａを基準として上下に一対の受穴（係入穴）１０を有すると共に、前記中央部の掛合部分９ａは、ストライク変形防止部材１１を介して前記トロヨケ８に連結されている。錠箱１の外観構成は、図２に示す通りで、該錠箱１に形成した、複数個の嵌合孔、突起、ガイド、取付け用固着具等の細部的事項は割愛してある。
【００１８】
なお、本実施例の錠箱１は、あくまでも実施の環境を説明するための一例に過ぎないので、錠箱１内に駆動モータ、歯車、クラッチ手段等を配設し、いわゆる「電気錠」にすることもできる。したがって、後述する駆動部材としてのダルマ１２は、合鍵の回転操作による操作力のみならず、駆動モータの駆動力によっても回転する。
【００１９】
（２）本発明の主な構成部材
本発明の錠箱１内に組み込まれた主な構成部材は、ダルマ１２と、上下のカマデッド（当業者用語）１３、１３と、これら上下のカマデッドをそれぞれ構成するカマの各基端部が共有する一つの軸（一軸）６と、２つのカマデッド１３、１３を同時に進退動させるための連動手段１５である。
【００２０】
上下のカマデッド１３はそれぞれ同一の機能を有する施錠片であり、上又は下のカマデッド１３は、水平方向に往復動するデッドボルト１６と、該デッドボルト１６と連動し、かつ共有の一軸６及び案内手段（例えば長孔とガイドピン）１８を介して所定量回転するカマ１９から構成されている。
【００２１】
しかして、最良の形態（第１実施例）の特徴事項の一つは、図１及び図３で示すように、カマデッド１３を所定の空間２３を有して上下対称に１対平行に並設すると共に、これら上下のカマデッドをそれぞれ構成するカマ１９の各基端部１９ｂを一軸６で軸支し（図５参照）、上下のカマデッド１３、１３は錠箱１内に回転自在に設けた一つの連動手段１５を介して同時に進退し、図１で示す施錠時に、デッドボルト１６の先端部１６ａは固定部材７の受穴１０に係入すると共に、カマ１９の鉤状先端部１９ａは前記受穴１０の周囲における固定部材７の掛合部分９ａの裏面に掛止する。
【００２２】
また、本発明の特徴事項のもう一つは、例えば図７に示す受け具（垂直方向の固定部材の一例）で、該受け具７は、前述したように、戸枠の縦枠に固定された横向き凹所状のトロヨケ８と、該トロヨケ８の上下の取付け端部に図示しない固着具を介して固定される長板状のストライク９から成り、前記ストライク９は、中央部の掛合部分９ａを基準として上下にカマデッド１３用の受穴１０、１０を有すると共に、前記中央部の掛合部分９ａは、ストライク変形防止部材１１を介して前記トロヨケ８の垂直底壁８ａに一体的に連結されている。付言すると、該受け具７の中には、ストライク変形防止部材１１が該受け具と一体的に設けられている。
【００２３】
ところで、前記ストライク変形防止部材１１の構成は、設計変更事項ではあるが、本実施例では、図１、図７乃至図９で示すように一端面が中央部の掛合部分９ａの裏面に当接すると共に、その他端面がトロヨケ８の垂直底壁８ａの内壁面に当接する所定長の筒状支持柱１１ａと、この筒状支持柱１１ａの両端部に形成されたメネジに螺合する複数個の止めネジ１１ｂとから成る。
【００２４】
さらに、本発明の連動手段１５の一例は、ダルマと略同一形状の大きさに形成された一つの回転体であり、該回転体は、その同期歯２６がダルマの環状嵌合部の駆動歯２５と噛合するようにダルマの上下方向に配設され、かつ半径外方向に延びる同期腕２７が他方のカマデッド１３のデットボルト１６の後端部に形成された係合部２１に係合する。
【００２５】
付言すると、連動或いは同期手段１５は、錠箱１の所定の空間２３に配設され、かつダルマ１２の環状嵌合部１２ａに周設した駆動歯２５と噛合する同期歯２６及びダルマ１２の駆動腕２２が係合する一方のカマデッド（図面では下方のカマデッド）１３のデットボルト１６に対して平行に対設する他方のカマデッド（図面では上方のカマデッド）１３のデットボルト１６の後端部に形成された係合部２１に係合する同期腕２７を有する回転体である。したがって、連動手段１５は一つの部材で済む。
【００２６】
（３）主な構成部材の具体的構成
まず、図２を参照にすると、錠箱１の垂直面座（フロント）１ｃの上部開口３と下部開口４からは、上方のカマデッド１３と下方のカマデッド１３の先端面が上下対称に見える。この図２から明らかなように、上方のカマデッド１３のデッドボルト１６の先端面は下向きＵ字形状であるのに対して、下方のカマデッド１３のデッドボルト１６の先端面は上向きＵ字形状である。
【００２７】
したがって、カマデッド１３のデッドボルト１６は、少なくとも先端縁部の端面或いは縦断面が略コ形状に形成され、カマデッド１３の後退時（解錠時）、カマ１９の鉤状先端部１９ａは、該略コ形状の先端部１６ａに収納され（図３）、一方、カマデッド１３の進出時（施錠時）、カマ１９の鉤状先端部１９ａは、該略コ形状の先端部１６ａから突出可能である（図１）。
【００２８】
ここで、本実施例の上下のカマ１９について説明する。上下のカマ１９は、図１及び図６の（ｂ）で示すように、錠箱１の垂直面座（フロント）１ｃの上部開口３並びに下部開口４から同時に飛び出すと、各鉤状先端部１９ａは蟹腕の如く内側に対向する。したがって、第１実施例の上下のカマ１９の各鉤状先端部１９ａは、施錠時、各デッドボルト１６の先端部１６ａが固定部材７の各受穴１０に係入すると、前記受穴１０の周囲におけるストライク９の中央部に相当する掛合部分９ａの裏面に互いに接近した状態で掛止され得る。
【００２９】
また、上下のカマ１９は、図４（分離状態の説明図）及び図５（連結状態の説明図）で示すように、共有の一軸６で一体的に連結されている。付言すると、上下のカマ１９の各基端部１９ｂは互いに重なり合うように折曲形成され、不番の貫通孔を貫通する支軸としての一軸６を介して一体的に連結されている。そして、前記一軸６は、錠箱１の軸孔５に横設軸架されている（図１、図２参照）。
【００３０】
さらに、付言すると、上下のカマ１９は、共有の一軸６及び上下一対のガイドピンを含む案内手段１８を介してデットボルト１６に連動（従動）する。したがって、共有の一軸６は、上下のカマ１９の各基端部を軸支するように錠箱１の垂直面座１ｃ付近の中央部に横設された固定支軸であり、各カマ１９は、該一つの固定支軸６を支点にそれぞれ同時に回転する。そこで、前記案内手段１８は、各カマ１９を回転させることができるように、例えばカマ１９側に形成されたガイド長孔或いはガイドピンと、該ガイド長孔或いはガイドピンに案内されるデットボルト１６側の不番のガイドピン或いはガイド長孔とから構成されている。
【００３１】
次に、デッドボルト１６について説明する。図３を参照にすると、下方のデッドボルト１６の後端部１６ｂには逆ハの字形状の係合部２１が形成され、一方、上方のデッドボルト１６の後端部１６ｂにはハの字形状の係合部２１が形成されている。本実施例では、下方のデッドボルト１６の逆ハの字形状の係合部２１には駆動手段としてのダルマ１２の駆動腕２２が選択的に係合する。これに対して、上方のデッドボルト１６のハの字形状の係合部２１には同期手段としての回転体１５の同期腕２７が選択的に係合する。
【００３２】
ところで、上下のデッドボルト１６の各後端部には、クリック機能を有する上下一組の付勢手段３１がそれぞれ垂直方向に設けられ、これらの付勢手段３１は、対応するダルマ１２と回転体１５をそれぞれ付勢している。そして、各付勢手段３１は、それぞれの係合部２１の間隙に位置する上下動杆と、該上下動杆に巻装されたクリックバネとから成る。
【００３３】
その他の細部的事項の説明は簡単に説明するが、ダルマ１２は、その環状嵌合部１２ａは錠箱１に設けた嵌合部或いは軸受けに回動自在に嵌合している。また、同期手段としての回転体１５の円形嵌合部（本実施例）又は軸部も、錠箱１に設けた嵌合部或いは軸受けに回動自在に嵌合している。さらに、図６の（ａ）、（ｂ）で示すように、錠箱１の垂直面座１ｃに形成された上部開口３並びに下部開口４は、それぞれ各カマ１９が出入りすることができるように段差状の開口となっている。
【００３４】
（４）作用
閉戸時において、操作手段、例えば図示しないシリンダに差し込んだ合鍵を操作すると、ダルマ１２は、図３で示す矢印Ａ（時計）方向へと回転する。ダルマ１２が矢印Ａ方向へと回転すると、ダルマ１２の駆動腕２２は下方のカマデッドのデッドボルト１６を押し出すことになるが、その時、ダルマ１２の駆動歯２５は連動手段１５の同期歯２６に噛合していることから、該連動手段１５はダルマ１２を介して図３で示す矢印Ｂ（反時計）方向へと同時に回転し、その同期腕２７で上方のカマデッドのデッドボルト１６を押し出すことになる。
【００３５】
しかして、上下のデッドボルト１６がダルマ１２の駆動力に基づき同時に水平移動すると、各先端部１６ａが垂直方向の固定部材７の上下の受穴１０に同時に係入するように前記錠箱１の面座１ｃから進出する。そして、図１で示すように、施錠時、前記デッドボルト１６の先端部１６ａは前記固定部材７の受穴１０に係入すると、デッドボルト１６に一軸６等を介して連動する上下のカマ１９は、それぞれの鉤状先端部１９ａが固定部材（本実施例ではストライク９）の中央部の掛合部分９ａの裏面に接近状態で掛止される。
【００３６】
この施錠状態で、引戸１又は扉１に開く方向へ力が作用すると、前記掛合部分９ａに集中的に力が加わることになる（開閉体が引戸の場合）或いは受穴１０を有する固定部材７のストライク（ストライクに相当する部分）９に集中的に力が加わることになるが、本実施例では、前記中央部の掛合部分９ａやストライク（ストライクに相当する部分）は、ストライク変形防止部材１１が設けられているので、容易に変形しない。
【実施例】
【００３７】
発明の実施の形態で説明した第１実施例に於いて、開閉体２は、引戸又は水平方向に回転する開き扉のいずれかである。また、特に図示しないが、ストライク変形防止部材１１の構造は、柱状ではなく、後述するように複数個の係合部（係合爪片、係合突起など）を有する支持枠状に形成しても良い。
【００３８】
以下、この実施例の欄では、本発明の第２実施例、第３実施例等を説明する。なお、これらの実施例の説明に当って、第１実施例と同一の部分には、同一又は同様の符号を付して重複する説明を割愛する。
【００３９】
まず、図１０乃至図１２は第２実施例である。この第２実施例に於いて、第１実施例と異なる点は連動手段１５Ａである。すなわち、連動手段１５Ａは、上下のカマデッド１３Ａの各デッドボルト１６Ａの内側の対向側端部にそれぞれ設けられたラック３５と、これらのラック３５にそれぞれ噛合するように錠箱１内に配設された上下一対のカマデッド同期用小歯車３６である。
【００４０】
ところで、前記各小歯車３６は、錠箱１に形成された左右一対の合計４個の不番の真円軸孔に、その両端部の不番支軸を介してそれぞれ支承されている。付言すると、上下一対の小歯車３６は錠箱１の略中央部に配設されており、下方に位置する小歯車３６は下方のデッドボルト１６Ａの対向側端部に該デッドボルトの長さ方向に所定量形成された下方の可動ラック３５に噛合し、一方、上方に位置する小歯車３６は上方のデッドボルト１６Ａの対向側端部に該デッドボルトの長さ方向に所定量形成された上方の可動ラック３５に噛合している。
【００４１】
したがって、この第２実施例では、施錠時、ダルマ１２が回転すると、前記上下のカマデッド１３Ａは、前記上下のラック３５及びカマデッド同期用小歯車３６を介して同期移動し、各デッドボルト１６Ａの先端部は、固定部材７の受穴１０に係入すると共に、カマ１９の先端部１９ａは前記受穴１０の周囲における固定部材の掛合部分９ａの裏面に掛止し得る（図１０参照）。
【００４２】
次に、図１３乃至図１６は本発明の第３実施例である。この第３実施例に於いて、第１実施例と異なる点は連動手段１５Ｂが二本のリンクを主体とするリンク機構である。すなわち、第２実施例の連動手段１５Ｂは、中央部が上下一対の固定軸３８にそれぞれ軸支され、かつ互いに連結された内端部が弧状軌跡を描きながら前後方向へと移行する第１連結可動ピン３９で連結されていると共に、各外端部が上下方向に同時に移動する上下一対の第２連結可動ピン４０でそれぞれ連結されたカマデッド同期用の二本のリンクである。
【００４３】
すなわち、連動手段１５Ｂは、例えば図１３で示すように、上下のカマ１９の基端部１９ｂとダルマ１２の間にカマデッド同期用の二本のリンク３７、３７が配設されている。
【００４４】
そして、これらのリンク３７の各中央部は、錠箱１に横設軸架された上下一対の固定軸３８にそれぞれ軸支され、かつ互いに連結された内端部３７ａ、３７ａは弧状軌跡を描きながら前後方向へと移行する第１連結可動ピン３９で連結されていると共に、各外端部３７ｂ、３７ｂは上下方向に同時に移動する上下一対の第２連結可動ピン４０、４０を介して対応する上下のデッドボルト１６Ｂ、１６Ｂにそれぞれ連結されている。
【００４５】
なお、上下一対のリンク３７並びに上下のデッドボルト１６Ｂには、施錠時（図１３）では「逆く」の字状となるように、一方、解錠時（図１４）では「く」の字状となるように、さらに、中途時（図１５）では「垂直線」状になるように、第１連結可動ピン３９カイド用の長孔、第２連結可動ピン４０カイド用の長孔がそれぞれ適宜に形成されている。
上記構成に於いて、施錠時、ダルマ１２が回転すると、上下のカマデッド１３Ｂは、二本のリンク３７を介して同期移動し、デッドボルト１６Ｂの先端部は固定部材７の受穴１０に係入すると共に、カマ１９の先端部は前記受穴１０の周囲における固定部材７の掛合部分９ａの裏面に掛止し得る。このように可動ラックを含む歯車機構を、二本のリンク３７を主体とするリンク機構（連動手段）１５Ｂに代えても、第１実施例と同一の目的が得られる。
【００４６】
次に、図１７乃至図２１は本発明の第４実施例である。この第４実施例に於いて、第１実施例と異なる点は連動手段１５Ｃである。この連動手段１５Ｃは、前記ダルマ１２Ｃの第１駆動腕の反対側に延びる第２駆動腕２７Ａに枢着されていると共に該ダルマ１２Ｃと共働する制御金具４１と、この制御金具４１のガイドに案内されると共に他方のカマデッド１３Ｃのデッドボルト１６Ｃの後端部に連結状態に配設された第２リンク３７Ａとから成る。
【００４７】
この第４実施例は、第３実施例と同様に、ラックとピニオンから成る連動手段を、いわば二本のリンク２７Ａ、３７Ａを主体とするリンク機構（連動手段）１５Ｃに代えたものである。したがって、第４実施例のリンク機構（連動手段）１５Ｃを説明するに当って、第３実施例のリンク機構（連動手段）１５Ｂと同一の部分には、説明の便宜上、同様の符号を付する。
【００４８】
この第４実施例は、ダルマ１２Ｃの環状嵌合部１２ａに第１駆動腕２２の反対側に延びる一方のリンク（第１リンク）に相当する第２駆動腕２７Ａを設けている。
【００４９】
しかして、この第４実施例が第１実施例と異なる点は、第１リンクとしてのダルマ１２Ｃの第２駆動腕２７Ａと、他方のカマデッド（実施例では上方のカマデッド）１３Ｃの他方のデッドボルト１６Ｃ（上方のデッドボルト）の後端部に第２連結可動ピン４０Ａを介して接続すると共に錠箱１に横設軸架された固定軸３８Ａに枢支された第２リンク３７Ａとを、一端部が第１連結可動ピン３９Ａを介して前記第２駆動腕２７Ａの突出端部に回動自在に連結された制御金具４１を介して連結したことである。
【００５０】
付言すると、ダルマ１２Ｃの第２駆動腕２７Ａと他方のカマデッド１３Ｃのデッドボルト１６Ｃの後端部に該ダルマ１２Ｃと共働するカマデッド同期用の前記第２駆動腕（第１リンク）２７Ａとデッドボルト側の第２リンク３７Ａとをガイド機能を有する制御金具４１を介して連結状態に配設し、前記第２駆動腕２７Ａの内端部２７ａは、弧状軌跡を描きながら前後方向へと移行する第１連結可動ピン３９Ａを介して前記連結金具４１の一端部に回動自在に連結され、一方、前記連結金具４１に形成された縦方向の案内溝４２に、その内端部３７ａが嵌合する長板状の第２リンク３７Ａは、その中央部（中央部寄りの部位も含む）が錠箱側の固定軸３８Ａに軸支されていると共に、該中央部に連設する外端部３７ｂは、前記他方のデッドボルト１６Ｃの後端部に設けた第２連結可動ピン４０Ａに係合するＵ字形状或いは二股状のリンク係合部となっている。
【００５１】
ところで、本実施例では、他方のデッドボルト１６Ｃ（上方のデッドボルト）の後端部の対向側端部（図面上、下部側）は、適宜に切欠４３されている。これは両端開口の鞘型状制御金具４１が縦方向の案内溝４２を介して長板状の第２リンク３７Ａの内端部３７ａに摺動自在に外嵌合し、かつ第２駆動腕２７Ａ側の第１連結可動ピン３９Ａが弧状軌跡を描きながら前後方向へと移行する際に第２リンク３７Ａを軸支する錠箱１の固定軸３８Ａを支点にして回転する訳であるが、前記固定軸３８Ａが他方のデッドボルト１６Ｃの進退動の障害にならないようにするためである。
【００５２】
したがって、本実施例のように切欠４３を前記デッドボルト１６Ｃの後端部に形成しない場合には、例えば錠箱１に横設軸架した固定軸３８Ａが障害にならないように前記後端部に水平方向の長孔や所要の開口を形成すべきである。
【００５３】
また、図１９で示すように、鞘型状制御金具４１の一端部（図面上、下端部）４１ａには、第１連結可動ピン３９Ａを支承する真円軸孔４４が形成されていると共に、該一端部４１ａの前後の側壁には、第２駆動腕２７Ａが前記第１連結可動ピン３９Ａを支点に所定量回動することができるように縦方向の逃がし用切欠４５、４５が形成されている。
【００５４】
一方、鞘型状制御金具４１の不番の正面壁及び背面壁の中央部には、上端部（図面上、上端部）４１ｂの端面から中央部に至る第１連結可動ピン３９Ａ用の垂直案内部分（例えば垂直切欠、垂直突条）４６がそれぞれ形成され、これらの左右一対の垂直案内部分４６は、前述した第２リンク３７Ａの内端部３７ａが嵌入する縦方向の案内溝４２に連通している。
【００５５】
上記構成に於いて、連動手段（リンク機構）１５Ｃは、施錠時（図１７）では「逆く」の字状となるように、一方、解錠時（図１８）では「く」の字状となるように、さらに、中途時（図２０）では「垂直線」状になるように作用する点は、第３実施例のリンク機構１５Ｂと基本的には同様である。
【００５６】
その結果、施錠時、ダルマダルマ１２Ｃが回転すると、上下のカマデッド１３Ｃは、第２駆動腕（第１リンク）２７Ａ、鞘型状制御金具４１及び第２リンク３７Ａをそれぞれ介して同期的に移動し、デッドボルト１６Ｃの先端部は固定部材７の受穴１０に係入すると共に、カマ１９の先端部は前記受穴１０の周囲における固定部材７の掛合部分９ａの裏面に掛止し得る。このように可動ラックを含む歯車機構を、二本のリンクを主体とするリンク機構（連動手段）１５Ｃに代えても、第１実施例と同一の目的が得られる。
【００５７】
次に、図２２乃至図２６は本発明の第５実施例である。この第５実施例は、カマデッドが錠箱１に平行に併設された上下のカマデッド１３、１３の各デッドボルト１６、１６の対向側端部の中央部或いは中央部寄りの部位が固定接続部１４を介して一体の１つの摺動部材１３Ｄである点が第１実施例と異なる。付言すると、第５実施例は、歯車機構、リンク機構等の連動手段を用いないで、ダブルカマデッドの構成をシンプル化している点が、第１実施例等と異なる。
【００５８】
なお、ケース身１ａの中央部には、ダルマ１２の環状部１２ａを挟むように前後一対の短杆状ストッパー（不番）が設けられ、これらのストッパーは、図示しない座板の取付け杆と螺合するメネジを有すると共に、少なくともダルマ１２の駆動腕２２を受け止める。
【００５９】
ここで、図２６を参照にして、１つの摺動部材１５のデッドボルト１６、１６の断面形状を説明すると、該摺動部材の固定接続部１４を含む縦断面はリップミゾ形綱の形状である。また、図２４を参照にして、前記固定接続部１４を説明すると、１つの摺動部材の固定接続部１４は、上下のデッドボルトの先端面逆Ｕ字及びＵ字形状のそれぞれの対向側端部（上下方向に延びる左右の垂直側壁）１６ｃの一方の中央部或いは中央部寄りの部位から垂直方向に連設成形されたやや幅広の板状部分であり、該板状部分の後方の側端部には、摺動部材完全後退用の切欠部１４ａが弧状に形成されている。
【００６０】
なお、前記切欠部１４ａは、本実施例では弧状に形成され、しかも、弧状の中心部には、さらに短杆状ストッパーと係合する半円弧状の小係合部が形成されている。
なお、１つの摺動部材１５のデッドボルト１６の縦断面形状は、リップミゾ形綱の他に、例えば軽ミゾ形綱やＳ字形状に形成することもできる。
【００６１】
上記構成に於いて、固定接続部１４を介して一体に設けられた上下のカマデッド１３、１３は、一方のカマデッド１３（例えば下方のカマデッド）のデッドボルト１６がダルマ１２の駆動腕２２によって押圧されると水平移動可能である。したがって、施錠時、ダルマ１２が回転すると、１つの摺動部材１３Ｄは水平移動して、前記デッドボルト１６、１６の各先端部１６ａ、１６ａは固定部材７の受穴１０に係入すると共に、上下のカマ１９、１９の各先端部１９ａ、１９ａは前記受穴１０の周囲における固定部材のストライク９の掛合部分９ａの裏面に掛止し得る。
【００６２】
次に、図２７乃至図３１は本発明の第６実施例である。この第６実施例も、第５実施例と同様に、カマデッドが錠箱１に平行に併設された上下のカマデッド１３、１３の各デッドボルト１６、１６の対向側端部の中央部或いは中央部寄りの部位が固定接続部１４Ａを介して一体の１つの摺動部材１３Ｅである点が第１実施例と異なる。したがって、固定接続部１４Ａには、第５実施例と同様の符号を付して重複する説明を割愛する。
【００６３】
しかして、１つの摺動部材１３Ｅの固定接続部１４Ａは、少なくとも上又は下のいずれか一方のデッドボルトの対向側端部１６ｃの中央部或いは中央部寄りの部位から垂直方向に連設成形された板状部分であり、該板状部分の端部が固定手段５１を介して他方のデッドボルトの対向側端部１６ｃの中央部或いは中央部寄りの部位に固定されている。
【００６４】
付言すると、本実施例では、例えば図２９で示すように、前記固定接続部１４Ａは左右に一対存在し、上方に位置するデッドボルト１６の固定接続部１４Ａは、図面上、手前の対向側端部１６ｃから下方へと垂直状態に延び、これに対して、下方に位置するデッドボルト１６の固定接続部１４Ａは、図面上、向こう前の対向側端部１６ｃから上方へと垂直状態に延びている。すなわち、上下の左右一組のデッドボルト１６の固定接続部１４Ａ、１４Ａは、互いに対向するように、又は対向しないで、それぞれ対向側端部１６ｃの上下辺に反対位置に延設形成されている。
【００６５】
また、図３１で示すように、本実施例では、固定接続部１４Ａは、固着具５１を介して相手方のデッドボルト１６の対向側端部１６ｃに固着されるので、これらの端部には固着具用の貫通孔５２が形成されている。したがって、それぞれ対向側端部１６ｃ（上下縁部）の反対位置には、互いに対向するように、又は対向しないで、前述した固着具用の取り付け孔５３が適宜に形成されている。望ましくは、各固定接続部１４Ａが相手方のデッドボルト１６の対向側端部１６ｃに面一状に収まるように、前記固着具５１用の取り付け孔５３が形成されている対向側端部１６ｃの一部には、凹所状の嵌合部分５４を画定すべきである。この第６実施例の作用は、第５実施例と同一である。なお、本実施例では、固定手段として固着具５１を用いているが、もちろん、他の手段（例えばカシメ）であっても良い。
【００６６】
次に、図３２乃至図３３は本発明の第７実施例である。この第７実施例も、第５実施例と同様に、カマデッドが錠箱１に平行に併設された上下のカマデッド１３、１３の各デッドボルト１６、１６の対向側端部の中央部或いは中央部寄りの部位が固定接続部１４Ｂを介して一体の１つの摺動部材１３Ｆである点が第１実施例と異なる。この第７実施例では、１つの摺動部材１３Ｆの固定接続部１４Ｂは、図３３で示すように、少なくとも１枚の垂直接続板であり、上下のデッドボルト１６、１６は、該垂直接続板及び固定手段を５１介して互いに一体的に連結されている。なお、この第７実施例は前記第６実施例の設計変更例なので、同一の部分には同一の符号を付して重複する説明を割愛する。
【００６７】
最後に、図３４乃至図３５は本発明の受け具７Ａの他の実施例である（これを、「第８実施例」とする）。
【００６８】
この受け具７Ａに於いて、第１実施例の受け具７と異なる点は、ダブルのカマデッド１３に対応する受け具７Ａのストライク変形防止部材１１Ａの構造で、このストライク変形防止部材１１Ａは柱状ではなく、複数個の係合部（係合爪片、係合突起など）を有する支持枠状に形成されている。
【００６９】
すなわち、５５は左右一対の垂直板で、これらの垂直板５５は後端面の上位と下位にそれぞれ下向きの鉤状係合爪片５６を有する。また、５７は左右の垂直板５５に直交する幅広連結板で、この幅広連結板５７は左右の垂直板５５の略中央部に連結されているので、その内壁面５７ａはストライク９の掛合部分９ａと同じ役割を発揮する。
【００７０】
付言すると、図３４で示すように、ストライク変形防止部材１１Ａを受け具７Ａの中に一体的に設けた場合、各垂直板５５はトロヨケ８の左右の対向側壁８ｂの内壁面に沿って位置付けられると共に、各垂直板５５の後端面の複数の係合爪片５６は、トロヨケ８の垂直底壁８ａの上端部と下端部にそれぞれ形成した合計４つの被係合部（係合長孔、係合突起など）５８に係合し、また、幅広連結板５７は、ストライク９の掛合部分９ａの内壁面と面接触可能な状態に対向する。
【００７１】
このように、受け具（７、７Ａ）の中にストライク変形防止部材（１１、１１Ａ）を該受け具と一体的に設けることにより、ダブルのカマデッド１３に対応する強固な受け具を得ることができる。
【産業上の利用可能性】
【００７２】
本発明は、主に錠前や建具の業界で利用される。
【符号の説明】
【００７３】
1…錠箱、１ｃ…垂直面座（フロント）、２…開閉体、３…カマデッド用上部開口、４…下方のカマデッド用下部開口、５…軸孔、６…一軸、７…垂直方向の固定部材（柱、戸枠の縦枠、受け具）、８…トロヨケ、８ａ…垂直底壁、９…ストライク、９ａ…掛合部分、１０…受穴（係入穴）、１１、１１Ａ…ストライク変形防止部材、１２、１２Ｃ…ダルマ、１２ａ…ダルマの環状嵌合部、１３、１３Ａ、１３Ｂ、１３Ｃ、１３Ｄ、１３Ｅ……カマデッド、１４…固定接続部、１５、１５Ａ、１５Ｂ、１５Ｃ…連動手段、１６、１６Ａ、１６Ｂ、１６Ｃ…デッドボルト、１６ａ…先端部、１８…案内手段、１９…カマ、１９ａ…鉤状先端部、２１…係合部、２２…ダルマの駆動腕、２３…所定の空間、２６…同期歯、２７…同期腕、２７Ａ…第２駆動腕、３１…付勢手段、３５…ラック、３６…上下の小歯車、３７、３７Ａ…第２リンク…二本のリンク、３８…上下の固定軸、３９…第１連結可動ピン、４０…第２連結可動ピン、５１…固定手段。
【図１】
2010159575.tif 000003
【図２】
2010159575.tif 000004
【図３】
2010159575.tif 000005
【図４】
2010159575.tif 000006
【図５】
2010159575.tif 000007
【図６】
2010159575.tif 000008
【図７】
2010159575.tif 000009
【図８】
2010159575.tif 000010
【図９】
2010159575.tif 000011
【図１０】
2010159575.tif 000012
【図１１】
2010159575.tif 000013
【図１２】
2010159575.tif 000014
【図１３】
2010159575.tif 000015
【図１４】
2010159575.tif 000016
【図１５】
2010159575.tif 000017
【図１６】
2010159575.tif 000018
【図１７】
2010159575.tif 000019
【図１８】
2010159575.tif 000020
【図１９】
2010159575.tif 000021
【図２０】
2010159575.tif 000022
【図２１】
2010159575.tif 000023
【図２２】
2010159575.tif 000024
【図２３】
2010159575.tif 000025
【図２４】
2010159575.tif 000026
【図２５】
2010159575.tif 000027
【図２６】
2010159575.tif 000028
【図２７】
2010159575.tif 000029
【図２８】
2010159575.tif 000030
【図２９】
2010159575.tif 000031
【図３０】
2010159575.tif 000032
【図３１】
2010159575.tif 000033
【図３２】
2010159575.tif 000034
【図３３】
2010159575.tif 000035
【図３４】
2010159575.tif 000036
【図３５】
2010159575.tif 000037